(57)【特許請求の範囲】
【請求項１】
ケース底部に形成してある開口部を通して薬液容器を収納可能な収納ケースと、
前記収納ケースに収納した薬液容器を上下方向に脱着可能なホルダーと、
前記ホルダーに装着された薬液容器が、薬液を揮散可能な薬液揮散位置と当該薬液容器の下部が前記開口部から下方に突出する容器交換位置とに亘って移動するように、前記ホルダーを昇降操作可能な操作具とを有する薬液揮散装置。
【請求項２】
前記操作具の回転操作により前記ホルダーが昇降するように、前記操作具と前記ホルダーとを連係するクランク機構を有する請求項１記載の薬液揮散装置。
【請求項３】
前記収納ケースの内部に加熱具を備えるとともに、前記薬液容器が容器内の薬液を吸液して容器外部に導出する吸液芯を備え、
前記操作具の操作により、前記吸液芯を前記加熱具に対して近接・離間可能に構成してある請求項１又は２記載の薬液揮散装置。
【発明の詳細な説明】
【技術分野】
【０００１】
本発明は、ケース底部に形成してある開口部を通して薬液容器を収納可能な収納ケースと、前記収納ケースに収納した薬液容器を上下方向に脱着可能なホルダーとを有する薬液揮散装置に関する。
【背景技術】
【０００２】
上記薬液揮散装置は、殺虫成分や芳香成分などを含む薬液を揮散させるにあたって、薬液容器を見栄え良く収納できるように収納ケースを有している。
また、収納ケースを薬液容器と一体に移動できるように、かつ、薬液容器を収納ケースから取り出せるように、収納ケースに収納した薬液容器を上下方向に脱着可能なホルダーを有している。
従来の上記薬液揮散装置では、薬液容器を手指で掴んで収納ケースから取り出せるように、ホルダーに装着された薬液容器の外周側と収納ケースの内周側との間に手指を入り込ませることができる大きな隙間を形成してある。
つまり、開口部を通して薬液容器の外周側と収納ケースの内周側との間の隙間に手指を入り込ませ、その手指で薬液容器を掴んで開口部から引き出す操作により、収納ケースから取り出すことができるように構成してある（例えば、特許文献１参照）。
【先行技術文献】
【特許文献】
【０００３】
【特許文献１】実開平５−１３１７７号公報
【発明の概要】
【発明が解決しようとする課題】
【０００４】
このため、収納ケースが大型化して、薬液揮散装置の設置にも大きな設置空間が必要となるおそれがある。
本発明は上記実情に鑑みてなされたものであって、薬液容器を手指で掴んで収納ケースから取り出すことができるようにしながら、収納ケースの大型化を抑制することができる薬液揮散装置を提供することを目的とする。
【課題を解決するための手段】
【０００５】
本発明による薬液揮散装置の第１特徴構成は、ケース底部に形成してある開口部を通して薬液容器を収納可能な収納ケースと、前記収納ケースに収納した薬液容器を上下方向に脱着可能なホルダーと、前記ホルダーに装着された薬液容器が、薬液を揮散可能な薬液揮散位置と当該薬液容器の下部が前記開口部から下方に突出する容器交換位置とに亘って移動するように、前記ホルダーを昇降操作可能な操作具とを有する点にある。
【０００６】
本構成の薬液揮散装置は、前記ホルダーに装着された薬液容器が、薬液を揮散可能な薬液揮散位置と当該薬液容器の下部が前記開口部から下方に突出する容器交換位置とに亘って移動するように、前記ホルダーを昇降操作可能な操作具を有する。
このため、薬液容器を収納ケースから取り出す際には、薬液容器が容器交換位置に移動するように操作具でホルダーを下降操作すれば、薬液容器の外周側と収納ケースの内周側との間に手指を入り込ませることなく、薬液容器の開口部から下方に突出している部分を手指で掴んで、その薬液容器を収納ケースから取り出すことができる。
したがって、本構成の薬液揮散装置であれば、薬液容器の外周側と収納ケースの内周側との間に手指を入り込ませることができる隙間を形成することなく、薬液容器を手指で掴んで収納ケースから取り出すことができるので、収納ケースの大型化を抑制することができる。
【０００７】
本発明の第２特徴構成は、前記操作具の回転操作により前記ホルダーが昇降するように、前記操作具と前記ホルダーとを連係するクランク機構を有する点にある。
【０００８】
本構成であれば、操作具の回転操作により、薬液容器を薬液揮散位置と容器交換位置とに亘って移動させることができる。
【０００９】
本発明の第３特徴構成は、前記収納ケースの内部に加熱具を備えるとともに、前記薬液容器が容器内の薬液を吸液して容器外部に導出する吸液芯を備え、前記操作具の操作により、前記吸液芯を前記加熱具に対して近接・離間可能に構成してある点にある。
【００１０】
本構成であれば、薬液揮散位置に移動させた薬液容器の吸液芯を加熱具で加熱して薬液を積極的に揮散させることができる。
また、操作具によるホルダーの昇降操作で吸液芯を加熱具に対して近接・離間させて、加熱具による吸液芯の加熱面積を変更し、薬液の揮散量を調節することができる。
【図面の簡単な説明】
【００１１】
【図１】薬液揮散装置の内部を示す正面図である。
【図２】薬液揮散装置の内部を示す側面図である。
【図３】薬液揮散装置の分解斜視図である。
【図４】薬液揮散装置の内部構造を示す分解斜視図である。
【図５】薬液容器を通常揮散位置に移動させたときの薬液揮散装置の内部を示し、（ａ）は正面図、（ｂ）は縦断面図である。
【図６】薬液容器を少量揮散位置に移動させたときの薬液揮散装置の内部を示し、（ａ）は正面図、（ｂ）は縦断面図である。
【図７】薬液容器を容器交換位置に移動させたときの薬液揮散装置の内部を示し、（ａ）は正面図、（ｂ）は縦断面図である。
【発明を実施するための形態】
【００１２】
以下に本発明の実施の形態を図面に基づいて説明する。
図１〜図４は、本発明による樹脂製の薬液揮散装置を示す。
薬液揮散装置は、薬液容器Ａを収納可能な前後方向で二つ割の収納ケース１と、後述する収納ケース２を昇降操作可能な操作具としてのダイヤル３とを有する。
【００１３】
ダイヤル３は、収納ケース１に形成したダイヤル３の外径と略同じ径の円形ダイヤル孔３ａに挿通されて、収納ケース１の内面と後述するデテント部材４との間に横軸芯Ｘの周りで回転操作自在に支持され、薬液容器Ａの現在の移動位置を表示する三角マーク３ｂが設けられている。
【００１４】
収納ケース１は、薬液容器Ａを挿抜自在な開口部５をケース底部に形成してあり、外部空気をケース横側方からケース内部に取り込むための空気取込口１ａと、殺虫成分や芳香成分などを含む薬液が揮散された空気をケース上方からケース外部に放出させる空気放出口１ｂと、薬液容器Ａの薬液残量をケース外部の横側方から確認可能な左右一対の残量確認窓１ｃとを備えている。
【００１５】
薬液容器Ａは、図４に示すように、有底円筒状の容器本体６ａと、円筒状の容器口部６ｂと、容器口部６ｂに装着された円筒状の中栓６ｃと、容器内の薬液を吸液して中栓６ｃの内側を通して容器外部に導出する円柱状の吸液芯６ｄとを同芯状に備え、開口部５を通して収納ケース１の内部に収納される。
【００１６】
薬液揮散装置の内部には、薬液容器Ａが挿入される円筒部７を備えた樹脂製中ケース８と、収納ケース１に収納した薬液容器Ａを保持するホルダー２と、ダイヤル３の回転操作によりホルダー２が昇降するように、ダイヤル３とホルダー２とを連係するクランク機構９と、ダイヤル３を所望の回転位置に保持するデテント機構１０と、吸液芯６ｄを外周側から加熱して薬液を揮散させる電気式の加熱具１１とを有する。
【００１７】
加熱具１１は、吸液芯６ｄを外周側から囲む金属製の帯状加熱部材１１ａと、発熱体１１ｂとを備え、加熱部材１１ａの両端部を発熱体１１ｂに接続して環状に形成して、中ケース８の上端部に固定してある。
【００１８】
円筒部７には、収納ケース１の底部がビス止めされるボス７ａと、円筒部７の内部に連通するトンネル状の通路１２を形成する下向きＵ字状の通路壁７ｂと、収納ケース１の内周面との接当により、中ケース８を位置決めする位置決めピン７ｃとが一体形成されている。
【００１９】
通路壁７ｂは、残量確認窓１ｃをその周縁に沿って収納ケース１の内側から囲むように、円筒部７の左右両側に形成され、収納ケース１と中ケース８との間の空間に連通する複数の貫通孔７ｄを通路壁上部に形成して、加熱具１１による空気の加熱に伴う対流を促進できるように構成してある。
【００２０】
薬液容器Ａは、開口部５を通して収納ケース１に収納するに伴って、円筒部７に挿入される。
ホルダー２は、円筒部７に挿入された薬液容器Ａの容器口部６ｂを保持する円筒状の保持部材２ａと、クランク機構９を構成するスライド板２ｂとを一体に備えている。
【００２１】
保持部材２ａは、容器口部６ｂに形成した雄ねじ部６ｅに対して上下方向に係合する雌ねじ状の突条部（図示せず）を内周側に備え、薬液容器Ａを保持部材２ａに対して正逆に回転させることにより薬液容器Ａを上下方向に脱着可能に保持する。
【００２２】
クランク機構９は、ホルダー２と一体に備えたスライド板２ｂと、スライド板２ｂの移動方向を上下方向に規制するガイド部１３と、スライド板２ｂの上部に一体形成した昇降ピン１４と、ダイヤル３の内側に一体形成した揺動ピン１５と、昇降ピン１４及び揺動ピン１５の夫々に対して相対揺動自在に連結されたクランクアーム１６とを備えている。
【００２３】
ガイド部１３は、保持部材２ａとスライド板２ｂとを連結している連結部２ｃの左右両側に摺接して、スライド板２ｂの移動方向を上下方向に規制する左右一対のガイド板８ａ（図３，図４参照）と、スライド板２ｂの左右両側に摺接して、スライド板２ｂの移動方向を上下方向に規制するガイド枠８ｂとの二つを中ケース８に一体形成して設けられている。
【００２４】
デテント機構１０は、ダイヤル３の外周側に一体形成した環状の鍔部材１７と、ガイド枠８ｂの左右両側に一体形成した帯板状のデテント部材４とを設けて構成されている。
そして、周方向で複数の切欠き部１７ａを鍔部材１７に形成するとともに、切欠き部１７ａに係脱自在に係入する凸曲部４ａをデテント部材４に形成して、ダイヤル３の回転操作に伴って鍔部材１７のいずれかの切欠き部１７ａに凸曲部４ａが係入することにより、ダイヤル３をその回転位置に保持する。
【００２５】
したがって、ダイヤル３の回転操作により揺動ピン１５を揺動させると、クランクアーム１６によりスライド板２ｂと共にホルダー２が昇降操作され、ホルダー２に装着された薬液容器Ａが、図５，図６に示すように薬液を揮散可能な薬液揮散位置と、図７に示すように当該薬液容器Ａの下部が収納ケース１の開口部５から下方に突出する容器交換位置とに亘って移動する。
また、このダイヤル３の回転操作による薬液容器Ａの移動に伴って、吸液芯６ｄが加熱具１１の加熱部材１１ａに対して近接・離間するように移動する。
【００２６】
本構成では、ダイヤル３を半回転させることにより、クランク機構９によってホルダー２を最上位置と最下位置とに昇降移動させることができ、さらに、ダイヤル３とホルダー２とをクランクアーム１６によって連結してあるので、ダイヤル３の回転操作に対してホルダー２をガタ付き無く昇降移動させることができ、軽快な操作性を実現することができる。また、ダイヤル３の回転方向は左右のいずれでもよいので、利便性を向上させることができる。
【００２７】
薬液揮散位置としては、図５に示すように薬液の揮散量が多い通常揮散位置と、図６に示すように薬液の揮散量が通常揮散位置におけるよりも少ない少量揮散位置とが設定されている。
図５に示すようにダイヤル３の三角マーク３ｂが上向きの通常揮散位置では、吸液芯６ｄの先端部が加熱部材１１ａの内側を突き抜ける位置に薬液容器Ａが保持されて、吸液芯６ｄの加熱面積が広くなり、薬液の揮散量が多くなる。
図６に示すようにダイヤル３の三角マーク３ｂが横向きの少量揮散位置では、吸液芯６ｄの先端部が加熱部材１１ａの内側に停止する位置に薬液容器Ａが保持されて、吸液芯６ｄの加熱面積が狭くなり、薬液の揮散量が少なくなる。
【００２８】
図７に示すようにダイヤル３の三角マーク３ｂが下向きの容器交換位置では、薬液容器Ａの下部が収納ケース１の開口部５から下方に突出するように当該薬液容器Ａが保持され、薬液容器Ａの開口部５から突出している部分Ａ１を手指で掴んで、容器口部６ｂを保持部材２ａに対して係合解除側に回転させることにより、開口部５を通して収納ケース１から取り出すことができる。
【００２９】
また、薬液容器Ａをホルダー２に装着するときは、ホルダー２を容器交換位置に対応する位置に保持した状態で薬液容器Ａを開口部５を通して収納ケース１内に挿入し、薬液容器Ａの開口部５から下方に突出している部分Ａ１を手指で掴んで、その容器口部６ｂを保持部材２ａに対して係合側に回転させることにより装着することができる。
【００３０】
〔その他の実施形態〕
１．本発明による薬液揮散装置は、開口部を通して薬液容器を強制的に引き出すことにより、薬液容器との係合が解除されるホルダーを有していてもよい。
２．本発明による薬液揮散装置は、薬液を加熱具で加熱することなく、常温で薬液を揮散させるものであってもよい。
３．本発明による薬液揮散装置は、操作具としての操作レバーの揺動操作でホルダーを昇降操作可能に設けてあってもよい。
４．本発明による薬液揮散装置は、殺虫成分を含む薬液を揮散させるものでも、芳香成分を含む薬液を揮散させるものでも、空気の消毒，殺菌又は脱臭成分を含む薬液を揮散させるものでもよい。
【産業上の利用可能性】
【００３１】
本発明による薬液揮散装置は、各種成分を含む薬液を揮散させるために利用することができる。
【符号の説明】
【００３２】
１  収納ケース
２  ホルダー
３  操作具
５  開口部
６ｄ  吸液芯
９  クランク機構
１１  加熱具
Ａ  薬液容器
【図１】
0005660502.tif 000002
【図２】
0005660502.tif 000003
【図３】
0005660502.tif 000004
【図４】
0005660502.tif 000005
【図５】
0005660502.tif 000006
【図６】
0005660502.tif 000007
【図７】
0005660502.tif 000008